(57)【特許請求の範囲】
【請求項１】
操舵可能となるよう船体に枢支されると共に外方に突出する操舵レバーを有し、電動機によりプロペラを駆動させるようにした船外機と、上記電動機に電力を供給可能とするバッテリと、上記操舵レバーの突出部を構成する駆動操作部とを備え、この駆動操作部を軸心回りの中立位置から正転、逆転回動させて、その回動量がそれぞれ第１正転、第１逆転回動量に達するまでは上記電力の供給が遮断された状態が維持され、更に正転、逆転回動させてその回動量がそれぞれ第２正転、第２逆転回動量に向かって増加するとき、そのときの回動量に相応する値の電流が上記電動機に供給されて、上記プロペラが正転、逆転するようにした船舶推進装置において、
上記駆動操作部の逆転回動時に、その回動量が第１逆転回動量以上に連続的に維持され、この維持時間が誤操作判定時間閾値未満であり、かつ、この際の回動量の最大値が誤操作判定回動量閾値未満である上記各維持時間を合計した後進誤操作合計時間を、別途設定された基準時間と比較して、その比較信号を出力する電子的な制御装置を設けたことを特徴とする船舶推進装置。
【請求項２】
上記基準時間と上記後進誤操作合計時間との比較値が所定比較値以上であるとき、上記制御装置の制御により上記第１逆転回動量をより大きい値にさせるようにしたことを特徴とする請求項１に記載の船舶推進装置。
【発明の詳細な説明】
【技術分野】
【０００１】
本発明は、電動機によりプロペラを駆動させるようにした船外機を備え、駆動操作部の正転、逆転回動操作により、上記電動機の出力でプロペラを正転、逆転駆動可能にすると共に、上記駆動操作部への操舵操作により船体を操舵可能にした船舶推進装置に関するものである。
【背景技術】
【０００２】
上記船舶推進装置には、従来、下記特許文献１に示されるものがある。この公報のものによれば、船舶の船舶推進装置は、縦向きの軸心回りに操舵回動可能となるよう船体に枢支されると共にその上端部からほぼ水平方向に突出する操舵レバーを有し、電動機によりプロペラを駆動させるようにした船外機と、上記電動機に電力を供給可能とするバッテリと、上記操舵レバーの突出部を構成し、上記操舵レバーの突出方向に沿った軸心回りに正転、逆転回動可能とされる駆動操作部とを備えている。
【０００３】
また、上記公報の特に図７と図８（ｃ）とに示唆されているように、上記構成において、次のように構成されたものがある。
【０００４】
即ち、上記駆動操作部を上記軸心回りの中立位置から正転、逆転回動させて、その回動量がそれぞれ第１正転、第１逆転回動量に達するまでは上記電力の供給が遮断された状態が維持され、更に正転、逆転回動させてその回動量がそれぞれ第２正転、第２逆転回動量に向かって増加するとき、そのときの回動量に相応する値の電流（電圧）が上記電動機に供給されて、上記プロペラが正転、逆転することとされている。
【０００５】
そして、上記船舶推進装置により船舶を推進など操船する場合において、上記駆動操作部を操作して中立位置から第１正転回動量以上に正転回動させれば、電動機によりプロペラが正転させられて船体が前進させられる。また、上記駆動操作部を操作して中立位置から第１逆転回動量以上に逆転回動させれば、電動機によりプロペラが逆転させられて船体が後進させられる。また、船体の前、後進時に、上記操舵レバーの一部を構成する上記駆動操作部を操作して、上記軸心回りに船外機を回動させれば、船体が操舵される。
【０００６】
ここで、上記船舶が漁船である場合、漁場における操船状況には、従来、例えば、次のようなものがある。
【０００７】
即ち、第１の操船状況として、複数人が乗船し、そのうちの一人の乗員が、漁をすることなく、上記プロペラの駆動と船体の操舵とのために駆動操作部を把持して、これを操作することとされる。この場合、上記乗員は駆動操作部を常時視認できるため、この駆動操作部についての操作を誤操作なく、適正にすることができる。よって、上記船舶の操船は円滑にできると考えられる。
【０００８】
一方、第２の操船状況として、一人のみが乗船し、漁と駆動操作部への操作とを共にすることがある。この場合、この乗員は、主に、利腕の右手で漁に集中しがちとなり、駆動操作部への操作は、これを左手により把持して視認に頼らないですることとされる。
【０００９】
上記第２の操船状況において、駆動操作部を操作する際、一般に、この駆動操作部を一旦中立位置から正転回動させた後、中立位置に戻すことにより船体を小刻みに前進させることが頻繁に繰り返し行われる。また、この間に、比較的少ない回数で、上記駆動操作部を一旦中立位置から逆転回動させた後、中立位置に戻すことにより船体を小刻みに後進させることが繰り返し行われる。更に、この間に、上記駆動操作部への操舵操作による船体の操舵も頻繁に繰り返し行われる。また、便宜上、上記駆動操作部の逆転回動操作による船体の後進に代えて、上記駆動操作部への操舵操作が行われている。
【特許文献１】特開平９−１６４９９９号公報
【発明の開示】
【発明が解決しようとする課題】
【００１０】
ところで、上記第２の操船状況のように、一人のみが乗船して、漁と駆動操作部への操作とを共にする場合には、前記のように、この駆動操作部への操作は視認に頼らないで行われる。このため、特に、上記駆動操作部を中立位置から正転回動させた後、中立位置に戻す操作や、駆動操作部への操舵操作を頻繁に繰り返し行う場合には、この駆動操作部を中立位置から誤って逆転回動させてしまうことがあり、つまり、この駆動操作部に対する「後進誤操作」をすることがある。
【００１１】
そして、上記「後進誤操作」として、駆動操作部を誤って無意識に逆転回動させた場合には、上記電動機の出力によりプロペラが逆転し、不意に船体が後進させられることから、円滑な操船が阻害される結果となって、好ましくない。
【課題を解決するための手段】
【００１２】
本発明は、上記のような事情に注目してなされたもので、本発明の目的は、船舶に設けられる船舶推進装置が電動機によりプロペラを駆動させるようにした船外機を備え、駆動操作部への正転、逆転回動操作により、上記電動機の出力でプロペラを正転、逆転駆動可能にすると共に、上記駆動操作部への操舵操作により船体を操舵可能にした場合において、船舶の操船が円滑にできるようにすることである。
【００１３】
請求項１の発明は、操舵可能となるよう船体３に枢支されると共に外方に突出する操舵レバー１５を有し、電動機１９によりプロペラ１４を駆動させるようにした船外機８と、上記電動機１９に電力を供給可能とするバッテリ２１と、上記操舵レバー１５の突出部を構成する駆動操作部２６とを備え、この駆動操作部２６を軸心２７回りの中立位置Ｎから正転、逆転回動Ｄ，Ｅさせて、その回動量Ｒがそれぞれ第１正転、第１逆転回動量Ｒ１，Ｒ１´に達するまでは上記電力の供給が遮断された状態が維持され、更に正転、逆転回動Ｄ，Ｅさせてその回動量Ｒがそれぞれ第２正転、第２逆転回動量Ｒ２，Ｒ２´に向かって増加するとき、そのときの回動量Ｒに相応する値の電流が上記電動機１９に供給されて、上記プロペラ１４が正転、逆転Ｂ，Ｃするようにした船舶推進装置において、
上記駆動操作部２６の逆転回動Ｅ時に、その回動量Ｒが第１逆転回動量Ｒ１´以上に連続的に維持され、この維持時間Ｔ１が誤操作判定時間閾値ｔ未満であり、かつ、この際の回動量Ｒの最大値Ｒｍａｘ´が誤操作判定回動量閾値ｒ´未満である上記各維持時間Ｔ１を合計した後進誤操作合計時間ＴＥを、別途設定された基準時間ＴＳと比較して、その比較信号を出力する電子的な制御装置２９を設けたことを特徴とする船舶推進装置である。
【００１４】
請求項２の発明は、上記基準時間ＴＳと上記後進誤操作合計時間ＴＥとの比較値が所定比較値ａ以上であるとき、上記制御装置２９の制御により上記第１逆転回動量Ｒ１´をより大きい値Ｒ”にさせるようにしたことを特徴とする請求項１に記載の船舶推進装置である。
【００１５】
なお、この項において、上記各用語に付記した符号や図面番号は、本発明の技術的範囲を後述の「実施例」の項や図面の内容に限定解釈するものではない。
【発明の効果】
【００１６】
本発明による効果は、次の如くである。
【００１７】
請求項１の発明は、操舵可能となるよう船体に枢支されると共に外方に突出する操舵レバーを有し、電動機によりプロペラを駆動させるようにした船外機と、上記電動機に電力を供給可能とするバッテリと、上記操舵レバーの突出部を構成する駆動操作部とを備え、この駆動操作部を軸心回りの中立位置から正転、逆転回動させて、その回動量がそれぞれ第１正転、第１逆転回動量に達するまでは上記電力の供給が遮断された状態が維持され、更に正転、逆転回動させてその回動量がそれぞれ第２正転、第２逆転回動量に向かって増加するとき、そのときの回動量に相応する値の電流が上記電動機に供給されて、上記プロペラが正転、逆転するようにした船舶推進装置において、
上記駆動操作部の逆転回動時に、その回動量が第１逆転回動量以上に連続的に維持され、この維持時間が誤操作判定時間閾値未満であり、かつ、この際の回動量の最大値が誤操作判定回動量閾値未満である上記各維持時間を合計した後進誤操作合計時間を、別途設定された基準時間と比較して、その比較信号を出力する電子的な制御装置を設けている。
【００１８】
このため、上記比較信号により、駆動操作部への操作において「後進誤操作」が過多であるとの判断がなされた場合には、操船者はこれに留意して駆動操作部への操作を行えばよく、これにより、船舶の操船が円滑にできることとなる。
【００１９】
請求項２の発明は、上記基準時間と上記後進誤操作合計時間との比較値が所定比較値以上であるとき、上記制御装置の制御により上記第１逆転回動量をより大きい値にさせるようにしている。
【００２０】
つまり、上記比較信号により、駆動操作部への操作において「後進誤操作」が過多であるとの判断がなされた場合には、上記したように、第１逆転回動量がより大きい値に変更させられるため、駆動操作部への操作において、船体を後進させる意図を有しないにもかかわらず、誤って駆動操作部を中立位置から第１逆転回動量以上に逆転回動させたとしても、上記変更された値に達するまでであれば、上記バッテリから電動機への電力供給は遮断された状態に維持され、プロペラの逆転が防止される。
【００２１】
よって、上記駆動操作部への操作の実情に照らし、この駆動操作部に対し「後進誤操作」をすることが回避され、不意に船体が後進させられることが抑制されることから、船舶の操船がより円滑にできることとなる。
【発明を実施するための最良の形態】
【００２２】
本発明の船舶推進装置に関し、船舶に設けられる船舶推進装置が電動機によりプロペラを駆動させるようにした船外機を備え、駆動操作部への正転、逆転回動操作により、上記電動機の出力でプロペラを正転、逆転駆動可能にすると共に、上記駆動操作部への操舵操作により船体を操舵可能にした場合において、船舶の操船が円滑にできるようにする、という目的を実現するため、本発明を実施するための最良の形態は、次の如くである。
【００２３】
即ち、船舶推進装置は、操舵可能となるよう船体に枢支されると共に外方に突出する操舵レバーを有し、電動機によりプロペラを駆動させるようにした船外機と、上記電動機に電力を供給可能とするバッテリと、上記操舵レバーの突出部を構成する駆動操作部とを備えている。この駆動操作部を軸心回りの中立位置から正転、逆転回動させて、その回動量がそれぞれ第１正転、第１逆転回動量に達するまでは上記電力の供給が遮断された状態が維持され、更に正転、逆転回動させてその回動量がそれぞれ第２正転、第２逆転回動量に向かって増加するとき、そのときの回動量に相応する値の電流が上記電動機に供給されて、上記プロペラが正転、逆転するようにしてある。
【００２４】
上記駆動操作部の逆転回動時に、その回動量が第１逆転回動量以上に連続的に維持され、この維持時間が誤操作判定時間閾値未満であり、かつ、この際の回動量の最大値が誤操作判定回動量閾値未満である上記各維持時間を合計した後進誤操作合計時間を、別途設定された基準時間と比較して、その比較信号を出力する電子的な制御装置を設けている。
【実施例】
【００２５】
本発明をより詳細に説明するために、その実施例を添付の図に従って説明する。
【００２６】
図１，２において、符号１は船舶で、この船舶１は、水２に浮かべられる船体３と、この船体３の後部や側部に取り付けられて、この船体３を所望方向に推進させる船舶推進装置４とを備えている。また、この船舶推進装置４は、上記船体３にクランプ６により着脱可能に支持されるブラケット７と、このブラケット７に支持される船外機８とを備え、この船外機８は、上記クランプ６およびブラケット７への操作により上記船体３に対し着脱可能に支持されている。
【００２７】
上記船外機８は、縦向きの軸心１１回りに回動Ａ可能となるよう上記ブラケット７に支持される円形パイプ製の支持体１２と、水２中で上記支持体１２の下端部に支持され、上記船体３を所望方向に推進させる推進ユニット１３と、この推進ユニット１３に支持されるプロペラ１４と、上記支持体１２の上端部からほぼ水平方向の外方に向けて突出する操舵レバー１５とを備えている。
【００２８】
上記推進ユニット１３は、その外殻を構成して水平方向に延びる円筒形状の推進ケース１８を備えている。この場合、この推進ケース１８の長手方向の一方向が前方Ｆｒとすれば、この推進ケース１８の後端部に上記プロペラ１４が支持されている。また、上記推進ユニット１３は、上記推進ケース１８に内有され、上記プロペラ１４を正転Ｂ、逆転Ｃ可能とさせる電動機１９を備えている。上記電動機１９に電線２０を通し電力を供給するバッテリ２１が設けられている。このバッテリ２１は船体３に設置され、上記電線２０とバッテリ２１とを離脱可能に接続させるコネクタ２２が設けられている。
【００２９】
前記操舵レバー１５は、上記支持体１２の上端部側から前方Ｆｒに向かって突出している。上記操舵レバー１５の基部側にハウジング２５が形成され、上記操舵レバー１５の突出部は、操船者により把持されて操作可能とされる駆動操作部２６とされている。この駆動操作部２６は、上記操舵レバー１５の突出方向に沿って延びる軸心２７を有した円柱形状とされ、この軸心２７回りで回動Ｄ，Ｅ可能となるよう上記ハウジング２５に枢支されている。また、上記ハウジング２５内には、上記駆動操作部２６に連動するポテンショ２８と、上記駆動操作部２６への操作に基づき、上記ポテンショ２８を介し上記電動機１９を電子的に制御可能とする制御装置２９とが設けられている。
【００３０】
上記駆動操作部２６の周方向におけるある一点がこの駆動操作部２６の基準部３２とされ、この基準部３２は、上記駆動操作部２６の外周面の一般面から径方向外方に突出し、かつ、軸方向に長い突条体とされている。上記駆動操作部２６の基準部３２は、この駆動操作部２６の周方向の頂部に位置するよう不図示のばねにより、常時、弾性的に付勢されている。そして、この駆動操作部２６の状態が、この駆動操作部２６の軸心回りでの中立位置Ｎとされ、この際、上記バッテリ２１から電動機１９への電力供給は遮断されている。
【００３１】
上記駆動操作部２６を把持し、この駆動操作部２６を上記軸心２７回りの中立位置Ｎから一方向（時計方向）に向けて上記ばねの付勢力に対抗しつつ正転回動Ｄさせたとする。この場合、この駆動操作部２６の操作量である回動量Ｒが第１正転回動量Ｒ１に達するまでは、上記電力供給が遮断された状態に維持される。上記駆動操作部２６の更なる正転回動Ｄにより、この駆動操作部２６の回動量Ｒが第１正転回動量Ｒ１以上になったとき、上記バッテリ２１から電動機１９への電力供給が開始され、電動機１９が始動される。
【００３２】
上記駆動操作部２６の更なる正転回動Ｄにより、この駆動操作部２６の回動量Ｒが第１正転回動量Ｒ１から第２正転回動量Ｒ２に向かって増加するとき、その回動量Ｒに相応する値の正転用電流（電圧）が上記電動機１９に供給されてこの電動機１９の出力が増加させられる。そして、この電動機１９に連動する上記プロペラ１４が正転Ｂさせられ、船体３が前進させられる。
【００３３】
一方、上記駆動操作部２６を把持し、この駆動操作部２６を上記軸心２７回りの中立位置Ｎから他方向（反時計方向）に向けて上記ばねの付勢力に対抗しつつ逆転回動Ｅさせたとする。この場合、この駆動操作部２６の操作量である回動量Ｒが第１逆転回動量Ｒ１´に達するまでは、上記電力供給が遮断された状態に維持される。上記駆動操作部２６の更なる逆転回動Ｅにより、この駆動操作部２６の回動量Ｒが第１逆転回動量Ｒ１´以上になったとき、上記バッテリ２１から電動機１９への電力供給が開始され、電動機１９が始動される。
【００３４】
上記駆動操作部２６の更なる逆転回動Ｅにより、この駆動操作部２６の回動量Ｒが第１逆転回動量Ｒ１´から第２逆転回動量Ｒ２´に向かってその回動量Ｒが増加するとき、その回動量Ｒに相応する値の逆転用電流（電圧）が上記電動機１９に供給されてこの電動機１９の出力が増加させられる。そして、この電動機１９に連動する上記プロペラ１４が逆転Ｃさせられ、船体３が後進させられる。
【００３５】
即ち、上記駆動操作部２６への回動Ｂ，Ｃ操作により、上記ポテンショ２８と制御装置２９とを介しバッテリ２１から電動機１９に電力を供給させれば、この電動機１９によりプロペラ１４が正転Ｂもしくは逆転Ｃ駆動させられて船体３が前進もしくは後進させられる。また、この場合、上記操舵レバー１５の一部である駆動操作部２６を把持したままで、この駆動操作部２６への操舵操作をすれば、上記推進ユニット１３が支持体１２の軸心１１回りに回動Ａして、船体３が操舵される。これにより、上記船舶１は所望方向に推進可能とされる。
【００３６】
図３は、上記制御装置２９による電動機１９の制御についてのフローチャートを示し、図中Ｓはプログラムの各ステップを示している。
【００３７】
図２〜４において、上記船舶１を操船する場合には、まず、上記駆動操作部２６を把持して操作を開始する（Ｓ２）。そして、この駆動操作部２６を中立位置Ｎから正転回動Ｄさせ、この駆動操作部２６の回動量Ｒが第１正転回動量Ｒ１以上になり始めると、上記バッテリ２１から電動機１９への電力供給が開始され、この電動機１９が始動させられる。
【００３８】
次に、上記駆動操作部２６の回動量Ｒが第１正転回動量Ｒ１以上である時間と第１逆転回動量Ｒ１´以上である時間とが、ある開始時点から経時的に積算されて、この積算値が予め設定されたれ基準時間ＴＳに達したとする（Ｓ３）。
【００３９】
一方、上記基準時間ＴＳの範囲において、上記駆動操作部２６の逆転回動Ｅの回動量Ｒが第１逆転回動量Ｒ１´以上にされた各時間（Ｔ１〜Ｔ３）を合計することにより後進合計時間ＴＲ（＝Ｔ１+Ｔ２+Ｔ３）が算出される（Ｓ４）。
【００４０】
また、上記基準時間ＴＳの範囲において、前記「後進誤操作」をした時間を合計して後進誤操作合計時間ＴＥが算出される（Ｓ５）。図４において、上記「後進誤操作」をした時間は、Ｔ１で示した部分に相当している。具体的には、この「後進誤操作」をした時間Ｔ１とは、上記駆動操作部２６の逆転回動Ｅ時に、その回動量Ｒが第１逆転回動量Ｒ１´以上に連続的に維持され、この維持時間（Ｔ１）が誤操作判定時間閾値ｔ未満であり、かつ、この際の回動量Ｒの最大値Ｒｍａｘ´が誤操作判定回動量閾値ｒ´（＞第１逆転回動量Ｒ１´）未満である上記維持時間を意味している。
【００４１】
ここで、上記後進合計時間ＴＲ−後進誤操作合計時間ＴＥ＝「後進適正操作」の時間とされ、図４において、Ｔ２とＴ３とで示した部分に相当している。具体的には、この「後進適正操作」をした時間Ｔ２とは、上記駆動操作部２６の逆転回動Ｅ時に、その回動量Ｒが第１逆転回動量Ｒ１´以上に連続的に維持され、この維持時間（Ｔ２）が上記誤操作判定時間閾値ｔ以上とされた時間を意味している。
【００４２】
また、上記「後進適正操作」の時間Ｔ３とは、上記駆動操作部２６の逆転回動Ｅ時に、その回動量Ｒが第１逆転回動量Ｒ１´以上に連続的に維持され、この維持時間(Ｔ３)は上記誤操作判定時間閾値ｔ未満であるが、この際の回動量Ｒの最大値Ｒｍａｘ´が上記誤操作判定回動量閾値ｒ´以上である上記維持時間を意味している。
【００４３】
次に、Ｓ６において、上記Ｓ３〜Ｓ５の結果により、基準時間ＴＳと後進誤操作合計時間ＴＥとが比較され、その比較信号が出力される。具体的には、Ｓ６において、ＴＲ／（ＴＳ−ＴＥ）の値が予め設定された所定比較値ａと比較される。この場合、所定比較値ａは、例えば、０．３程度とされる。
【００４４】
上記Ｓ６において、ＴＲ／（ＴＳ−ＴＥ）＞ａのとき、駆動操作部２６に対する操作において「後進誤操作」は少ない（多くない）として、この駆動操作部２６に対し通常操作実行用の制御マップが適用される（Ｓ７）。この制御マップは、図２中実線図示のものに相当し、前記説明によるものである。
【００４５】
上記Ｓ６において、ＴＲ／（ＴＳ−ＴＥ）≦ａのとき、駆動操作部２６に対する操作において、「後進誤操作」が過多であるとの比較信号が出力される。そして、この比較信号により、上記駆動操作部２６に対し後進誤操作回避用の制御マップが適用される（Ｓ９）。この制御マップは、図２中一点鎖線で示されるものであって、上記第１逆転回動量Ｒ１´をより大きい値Ｒ１”にさせるようにしたものである。
【００４６】
なお、上記Ｓ６からＳ９へ比較信号が出力されたとき、この比較信号により、警告ブザーや警告灯などの警告信号が発せられるようにしてもよい。
【００４７】
上記構成によれば、駆動操作部２６の逆転回動Ｅ時に、その回動量Ｒが第１逆転回動量Ｒ１´以上に連続的に維持され、この維持時間が誤操作判定時間閾値ｔ未満であり、かつ、この際の回動量Ｒの最大値Ｒｍａｘ´が誤操作判定回動量閾値ｒ´未満である上記各維持時間を合計した後進誤操作合計時間ＴＥを、別途設定された基準時間ＴＳと比較して、その比較信号を出力する電子的な制御装置２９を設けている。
【００４８】
このため、上記比較信号により、駆動操作部２６への操作において「後進誤操作」が過多であるとの判断がなされた場合には、操船者はこれに留意して駆動操作部２６への操作を行えばよく、これにより、船舶１の操船が円滑にできることとなる。
【００４９】
また、前記したように、基準時間ＴＳと上記後進誤操作合計時間ＴＥとの比較値が所定比較値ａ以上であるとき、上記制御装置２９の制御により上記第１逆転回動量Ｒ１´をより大きい値Ｒ”にさせるようにしている。
【００５０】
つまり、上記比較信号により、駆動操作部２６への操作において「後進誤操作」が過多であるとの判断がなされた場合には、上記したように、第１逆転回動量Ｒ１´がより大きい値Ｒ”に変更させられるため、駆動操作部２６への操作において、船体３を後進させる意図を有しないにもかかわらず、誤って駆動操作部２６を中立位置Ｎから第１逆転回動量Ｒ１´以上に逆転回動Ｅさせたとしても、上記変更された値Ｒ”に達するまでであれば、上記バッテリ２１から電動機１９への電力供給は遮断された状態に維持され、プロペラ１４の逆転Ｃが防止される。
【００５１】
よって、上記駆動操作部２６への操作の実情に照らし、この駆動操作部２６に対し「後進誤操作」をすることが回避され、不意に船体３が後進させられることが抑制されることから、船舶１の操船がより円滑にできることとなる。
【００５２】
なお、以上は図示の例によるが、基準時間ＴＳは、船外機８の使用中においてある連続した時間を、例えば、１時間というように任意に設定してもよい。また、駆動操作部２６の回動量Ｒが第１逆転回動量Ｒ１´以上である時間のみを積算することによるものでもよい。また、上記した制御装置２９による制御は、駆動操作部２６の回動量Ｒに基づくよう記載しているが、この回動量Ｒに相応してバッテリ２１から電動機１９に供給される電流（電圧）に基づくものであってもよい。
【図面の簡単な説明】
【００５３】
【図１】船舶の部分側面図である。
【図２】図１のII−II線矢視図と電気的なグラフ図との関連図である。
【図３】制御装置による制御のフローチャート図である。
【図４】駆動操作部への操作によりバッテリから電動機に供給される電流の経時的な変動を示すグラフ図である。
【符号の説明】
【００５４】
１    船舶
２    水
３    船体
４    船舶推進装置
８    船外機
１１  軸心
１２  支持体
１３  推進ユニット
１４  プロペラ
１５  操舵レバー
１８  推進ケース
１９  電動機
２１  バッテリ
２６  駆動操作部
２７  軸心
２８  ポテンショ
２９  制御装置
３２  基準部
Ａ    回動
Ｂ    正転
Ｃ    逆転
Ｄ    正転回動
Ｅ    逆転回動
Ｎ    中立位置
Ｒ    回動量
Ｒ１  第１正転回動量
Ｒ２  第２正転回動量
Ｒ１´  第１逆転回動量
Ｒ２´  第２逆転回動量
Ｒｍａｘ´  最大値
Ｒ”  値
ＴＳ  基準時間
ＴＲ  後進合計時間
ＴＥ  後進誤操作合計時間
ｔ    誤操作判定時間閾値
ｒ´  誤操作判定回動量閾値
ａ    所定比較値
【図１】
0004958309.tif 000002
【図２】
0004958309.tif 000003
【図３】
0004958309.tif 000004
【図４】
0004958309.tif 000005